(57)【要約】【課題】  機種情報の設定を簡易にする。ユーザ場所における、要素機器の組付けによる画像形成装置の組み立てや、要素機器の追加，削除の場合に、機種情報の設定作業，変更作業を不要にする。【解決手段】  用紙に画像を形成するプリンタ１００および該プリンタに作像情報を与えるシステム制御装置ＡＣＰを備える画像形成装置において、機種コード発生手段１３０，２８ａ，不揮発メモリ１３２，３０ａ，電源投入直後に前記機種コード発生手段が発生する機種コードと前記不揮発メモリが保持する機種コードのうち、下位機能の機種コードの方を前記不揮発メモリに保持させる機種コード設定手段３１ａ、および、前記不揮発メモリが保持する機種コード対応の機能に前記画像形成装置を設定する機能設定手段３１ａ、を備える。  【選択図】  図９
2006109346.tif 000002
【特許請求の範囲】
【請求項１】
用紙に画像を形成するプリンタおよび該プリンタに作像情報を与えるシステム制御装置を備える画像形成装置において、
機種コード発生手段，不揮発メモリ，電源投入直後に前記機種コード発生手段が発生する機種コードと前記不揮発メモリが保持する機種コードのうち、下位機能の機種コードの方を前記不揮発メモリに保持させる機種コード設定手段、および、前記不揮発メモリが保持する機種コード対応の機能に前記画像形成装置を設定する機能設定手段、を備えることを特徴とする画像形成装置。
【請求項２】
前記プリンタおよびシステム制御装置はそれぞれが、機種コード発生手段と不揮発メモリを備え；
前記機種コード設定手段は、電源投入直後に、前記プリンタの機種コード発生手段が発生する機種コードと不揮発メモリが保持する機種コードのうちの下位機能の機種コードと、前記システム制御装置の機種コード発生手段が発生する機種コードと不揮発メモリが保持する機種コードのうちの下位機能の機種コードとの組合せで定まる、前記画像形成装置が実行し得る最高位の機能、を実現できるプリンタおよびシステム制御装置の機種コードを前記プリンタおよびシステム制御装置の不揮発メモリに保持させる；
請求項１に記載の画像形成装置。
【請求項３】
前記プリンタおよびシステム制御装置はそれぞれが、機種コード発生手段と不揮発メモリを備え；
前記機種コード設定手段は、電源投入直後に、前記プリンタの機種コード発生手段が発生する機種コードと不揮発メモリが保持する機種コードならびに前記システム制御装置の機種コード発生手段が発生する機種コードと不揮発メモリが保持する機種コード、のうちの下位機能の機種コードを前記プリンタおよびシステム制御装置の不揮発メモリに保持させる；
請求項１に記載の画像形成装置。
【請求項４】
機種コード発生手段と不揮発メモリを持つ、原稿画像を読み取るスキャナ；
機種コード発生手段と不揮発メモリを持つ、用紙に画像を形成するプリンタ；
機種コード発生手段と不揮発メモリを持つ、操作ボード；
機種コード発生手段と不揮発メモリを持つ、前記操作ボードおよび外部機器からの指示に応答して前記スキャナおよびプリンタを制御するシステム制御装置；
電源投入直後に、前記スキャナの機種コード発生手段が発生する機種コードと不揮発メモリが保持する機種コードのうちの下位機能の機種コードと、前記プリンタの機種コード発生手段が発生する機種コードと不揮発メモリが保持する機種コードのうちの下位機能の機種コードと、前記操作ボードの機種コード発生手段が発生する機種コードと不揮発メモリが保持する機種コードのうちの下位機能の機種コードと、前記システム制御装置の機種コード発生手段が発生する機種コードと不揮発メモリ保持する機種コードのうちの下位機能の機種コードとの組合せで定まる、前記画像形成装置が実行し得る最高位の機能、を実現できるスキャナ，プリンタ，操作ボードおよびシステム制御装置の機種コードを、前記スキャナ，プリンタ，操作ボードおよびシステム制御装置の不揮発メモリに保持させる機種コード設定手段；を備え、
前記スキャナ，プリンタ，操作ボードおよびシステム制御装置はそれぞれ、各自に、各自の不揮発メモリが保持する機種コード対応の機能を設定する；
画像形成装置。
【請求項５】
機種コード発生手段と不揮発メモリを持つ、原稿画像を読み取るスキャナ；
機種コード発生手段と不揮発メモリを持つ、用紙に画像を形成するプリンタ；
機種コード発生手段と不揮発メモリを持つ、操作ボード；
機種コード発生手段と不揮発メモリを持つ、前記操作ボードおよび外部機器からの指示に応答して前記スキャナおよびプリンタを制御するシステム制御装置；
電源投入直後に、前記スキャナの機種コード発生手段が発生する機種コードと不揮発メモリが保持する機種コード，前記プリンタの機種コード発生手段が発生する機種コードと不揮発メモリが保持する機種コード，前記操作ボードの機種コード発生手段が発生する機種コードと不揮発メモリが保持する機種コード、ならびに、前記システム制御装置の機種コード発生手段が発生する機種コードと不揮発メモリが保持する機種コード、のうちの下位機能の機種コードを、前記スキャナ，プリンタ，操作ボードおよびシステム制御装置の不揮発メモリに保持させる機種コード設定手段；を備え、
前記スキャナ，プリンタ，操作ボードおよびシステム制御装置はそれぞれ、各自に、各自の不揮発メモリが保持する機種コード対応の機能を設定する；
画像形成装置。
【請求項６】
前記機種コード設定手段は、電源投入直後に前記不揮発メモリのそれぞれの機種コードを最上位機種コードに更新してから、前記機種コード設定を行う；請求項２乃至５のいずれか１つに記載の画像形成装置。
【請求項７】
前記機種コード設定手段は、電源投入直後に前記不揮発メモリのそれぞれの機種コードの中の最上位機種コードを検索して、前記不揮発メモリのすべての機種コードを、検索した最上位機種コードに更新してから、前記機種コード設定を行う；請求項２乃至５のいずれか１つに記載の画像形成装置。
【請求項８】
前記機種コード発生手段は、ハードウエアのデータ発生器である、請求項１乃至７のいずれか１つに記載の画像形成装置。
【請求項９】
前記機種コード発生手段は、情報記憶媒体である、請求項１乃至７のいずれか１つに記載の画像形成装置。
【請求項１０】
前記不揮発メモリは、初期設定値として最上位機種を示す機種コードが格納されたバックアップメモリである；請求項１乃至９のいずれか１つに記載の画像形成装置。
【発明の詳細な説明】
【技術分野】
【０００１】
本発明は用紙上に画像を形成するプリンタおよび該プリンタに作像情報を与えるシステム制御装置を備える画像形成装置に関し、特に、これに限定する意図ではないが、システム制御装置がパソコン等のホストから通信ラインを介して書画情報を受信してプリンタにて印刷し、必要に応じて原稿スキャナおよび操作ボード又はパソコンを直結して多彩な書画情報処理が可能な複合機能の画像形成装置に関する。本発明は例えば、プリンタ，複写機，ファクシミリに用いることができる。
【背景技術】
【０００２】
例えば複合機能の画像形成装置には、多機種開発効率向上のために、低位機能から高位機能まで多種機能（多機種）を選択設定し得るものが開発されており、電源起動時にハードSW又は機種判別用メモリを参照して、設定されている機種判別をして機種対応の、実行可能機能を設定する機能設定手段を備えたものがある。
【０００３】
【特許文献１】特開２００１−１５９９５９号公報，
【特許文献２】特開平    ６−１４９５５０号公報，
【特許文献３】特開２００１−２７７６６７号公報。
【０００４】
引用文献１には、プリンタを使用するホストに複数機種の設定ファイルをインストールしておいて、プリンタポートに接続されたプリンタからプリンタ機種ＩＤを取得して該機種ＩＤ宛ての設定ファイルにしたがってプリンタドライバの動作モードを決定するプリンタ制御方法が記載されている。引用文献２には、画像形成装置のＲＯＭに共通プログラムおよび複数機種毎の異なる処理のプログラムを格納しておき、操作部キー，ドラムエンコーダ又はＤＩＰＳＷなどの機種を特定する機種選択手段のデータに基づいて特定機種の画像形成制御を行う画像形成装置が記載されている。引用文献３には、機種別の操作パネルと、各機種に共通のプログラムおよび各機種別の専用データを格納したＲＯＭを用いて、操作パネルのキー回路をチェツクして機種を判別して、その結果の機種の制御をＲＯＭデータに基づいて行う画像形成装置が記載されている。
【発明の開示】
【発明が解決しようとする課題】
【０００５】
ところで、機種を表すハードSWまたは機種判別用メモリの内容を実際の機械より上位機種に設定した場合、上位機種の制御を行ってしまうという不具合を生じる。プリンタおよび又はシステム制御装置の機種が複数で両者の組合わせすなわち機種が複数になる場合のみならず、原稿スキャナおよび又は操作ボードの機種が複数でこれらも必要に応じて組み付ける場合もあるが、システム制御装置に接続する要素機器（原稿スキャナ，プリンタ，操作ボードあるいは操作ボードに代わるもしくは加えるパソコン等）を確定してからシステム制御装置に機種情報を設定するのは、作業手順が複雑になりわずらわしく、機種情報の設定を誤る可能性がある。のみならず、ユーザの使用場所において、要素機器を追加接続することがあり、また、取り外すことがあるが、そうすると機種情報が実際の機種（機能）とは異なることがある。ユーザの使用場所に要素機器を納入してから機種情報を再設定するのはわずらわしい作業となる。
【０００６】
本発明は、機種情報の設定を簡易にすることを第１の目的とし、ユーザの使用場所における、要素機器の組付けによる画像形成装置の組み立てや、要素機器の追加，削除の場合に、機種情報の設定作業，変更作業を不要にすることを第２の目的とする。
【課題を解決するための手段】
【０００７】
（１）用紙に画像を形成するプリンタ(100)および該プリンタに作像情報を与えるシステム制御装置(ACP)を備える画像形成装置において、
機種コード発生手段(130,28a)，不揮発メモリ(132,30a)，電源投入直後に前記機種コード発生手段が発生する機種コードと前記不揮発メモリが保持する機種コードのうち、下位機能の機種コードの方を前記不揮発メモリに保持させる機種コード設定手段(31a)、および、前記不揮発メモリが保持する機種コード対応の機能に前記画像形成装置を設定する機能設定手段(31a)、を備えることを特徴とする画像形成装置。
【０００８】
なお、理解を容易にするためにカッコ内には、図面に示し後述する実施例の対応要素又は対応事項の符号を、例示として参考までに付記した。以下も同様である。
【発明の効果】
【０００９】
これによれば、画像形成装置をユーザに渡すまでに不揮発メモリ(132,30a)に最高位機種コードを書き込んでおくと、画像形成装置に電源を投入した時に、不揮発メモリ(132,30a)のデータは、自動的に、機種コード発生手段(130,28a)に設定された機種コードに書き換えられ、そして画像形成装置は自動的に、実際に利用できる機能に設定される。
【発明を実施するための最良の形態】
【００１０】
（２）前記プリンタ(100)およびシステム制御装置(ACP)はそれぞれが、機種コード発生手段(130,28a)と不揮発メモリ(132,30a)を備え；
前記機種コード設定手段(31a)は、電源投入直後に、前記プリンタ(100)の機種コード発生手段(130)が発生する機種コードと不揮発メモリ(132)が保持する機種コードのうちの下位機能の機種コードと、前記システム制御装置(ACP)の機種コード発生手段(28a)が発生する機種コードと不揮発メモリ(30a)が保持する機種コードのうちの下位機能の機種コードとの組合せで定まる、前記画像形成装置が実行し得る最高位の機能、を実現できるプリンタおよびシステム制御装置の機種コードを前記プリンタ(100)およびシステム制御装置の不揮発メモリに保持させる；
上記（１）に記載の画像形成装置（図９，図１４）。
【００１１】
これによれば、プリンタ(100)とシステム制御装置(ACP)の組み合わせによって可能な最高位の機能を実現する機種コードに、プリンタ(100)およびシステム制御装置(ACP)の不揮発メモリ(132,30a)のデータが更新され、プリンタ(100)およびシステム制御装置(ACP)がそれぞれ、上記最高位の機能を実現する各機能に設定される。例えば、システム制御装置(ACP)は両面印刷に適合する機種であっても、プリンタ(100)が片面印刷しか出来ないものであるときには、システム制御装置も片面印刷のみに適合する低位機能に設定される。
【００１２】
（３）前記プリンタ(100)およびシステム制御装置(ACP)はそれぞれが、機種コード発生手段(130,28a)と不揮発メモリ(132,30a)を備え；
前記機種コード設定手段(31a)は、電源投入直後に、前記プリンタ(100)の機種コード発生手段(130)が発生する機種コードと不揮発メモリ(132)が保持する機種コードならびに前記システム制御装置(ACP)の機種コード発生手段(28a)が発生する機種コードと不揮発メモリ(30a)が保持する機種コード、のうちの下位機能の機種コードを前記プリンタ(100)およびシステム制御装置の不揮発メモリに保持させる；
上記（１）に記載の画像形成装置（図１３，図１５）。これによっても、上記（２）と同様な作用効果が得られる。
【００１３】
（４）機種コード発生手段(257)と不揮発メモリ(256)を持つ、原稿画像を読み取るスキャナ(210,230)；
機種コード発生手段(130)と不揮発メモリ(132)を持つ、用紙に画像を形成するプリンタ(100)；
機種コード発生手段(66)と不揮発メモリ(64)を持つ、操作ボード(220)；
機種コード発生手段(28a)と不揮発メモリ(30a)を持つ、前記操作ボードおよび外部機器からの指示に応答して前記スキャナおよびプリンタを制御するシステム制御装置(ACP)；
電源投入直後に、前記スキャナの機種コード発生手段(257)が発生する機種コードと不揮発メモリ(256)が保持する機種コードのうちの下位機能の機種コードと、前記プリンタ(100)の機種コード発生手段(130)が発生する機種コードと不揮発メモリ(132)が保持する機種コードのうちの下位機能の機種コードと、前記操作ボード(220)の機種コード発生手段(66)が発生する機種コードと不揮発メモリ(64)が保持する機種コードのうちの下位機能の機種コードと、前記システム制御装置(ACP)の機種コード発生手段(28a)が発生する機種コードと不揮発メモリ(30a)が保持する機種コードのうちの下位機能の機種コードとの組合せで定まる、前記画像形成装置が実行し得る最高位の機能、を実現できるスキャナ，プリンタ，操作ボードおよびシステム制御装置の機種コードを、前記スキャナ(210,230)，プリンタ(100)，操作ボード(220)およびシステム制御装置(ACP)の不揮発メモリ(256,132,64,30a)に保持させる機種コード設定手段(31a)；を備え、
前記スキャナ(210,230)，プリンタ(100)，操作ボード(220)およびシステム制御装置(ACP)はそれぞれ、各自に、各自の不揮発メモリが保持する機種コード対応の機能を設定する；
画像形成装置（図９，図１４）。
【００１４】
これによれば、各要素であるスキャナ(210,230)，プリンタ(100)，操作ボード(220)およびシステム制御装置(ACP)の組み合わせによって可能な最高位の機能を実現する機種コードに、各要素の不揮発メモリ(256,132,64,30a)のデータが更新され、各要素がそれぞれ、上記最高位の機能を実現する各機能に設定される。例えば、操作ボード(220)に、システム制御装置をサーバとして利用するサーバ機能をサポートする入出力機能を設定できても、システム制御装置がサーバ機能要素を持たないものであるときには、操作ボード(220)はサーバ入出力を行わない低位機能に設定される。
【００１５】
（５）機種コード発生手段(257)と不揮発メモリ(256)を持つ、原稿画像を読み取るスキャナ(210,230)；
機種コード発生手段(130)と不揮発メモリ(132)を持つ、用紙に画像を形成するプリンタ(100)；
機種コード発生手段(66)と不揮発メモリ(64)を持つ、操作ボード(220)；
機種コード発生手段(28a)と不揮発メモリ(30a)を持つ、前記操作ボードおよび外部機器からの指示に応答して前記スキャナおよびプリンタを制御するシステム制御装置(ACP)；
電源投入直後に、前記スキャナの機種コード発生手段(257)が発生する機種コードと不揮発メモリ(256)が保持する機種コード，前記プリンタ(100)の機種コード発生手段(130)が発生する機種コードと不揮発メモリ(132)が保持する機種コード，前記操作ボード(220)の機種コード発生手段(66)が発生する機種コードと不揮発メモリ(64)が保持する機種コード、ならびに、前記システム制御装置(ACP)の機種コード発生手段(28a)が発生する機種コードと不揮発メモリ(30a)が保持する機種コード、のうちの下位機能の機種コードを、前記スキャナ(210,230)，プリンタ(100)，操作ボード(220)およびシステム制御装置(ACP)の不揮発メモリ(256,132,64,30a)に保持させる機種コード設定手段(31a)；を備え、
前記スキャナ(210,230)，プリンタ(100)，操作ボード(220)およびシステム制御装置(ACP)はそれぞれ、各自に、各自の不揮発メモリが保持する機種コード対応の機能を設定する；
画像形成装置（図１３，図１５）。これによっても、上記（４）と同様な作用効果が得られる。
【００１６】
（６）前記機種コード設定手段(31a)は、電源投入直後に前記不揮発メモリのそれぞれの機種コードを最上位機種コードに更新してから、前記機種コード設定を行う；上記（２）乃至（５）のいずれか１つに記載の画像形成装置(図１７)。これによれば、例えばスキャナ(210,230)，プリンタ(100)，操作ボード(220)およびシステム制御装置(ACP)のいずれかを交換するとか、スキャナ(210,230)あるいは操作ボード(220)を取り外すあるいは追加するなどにより、画像形成装置の要素構成（要素の組み合わせ）が代わったとき、画像形成装置の電源オンにより、自動的に最新の要素構成で実行可能な最高機能に適合する機能に、各要素が自動的に設定される。
【００１７】
（７）前記機種コード設定手段(31a)は、電源投入直後に前記不揮発メモリのそれぞれの機種コードの中の最上位機種コードを検索して、前記不揮発メモリのすべての機種コードを、検索した最上位機種コードに更新してから、前記機種コード設定を行う；上記（２）乃至（５）のいずれか１つに記載の画像形成装置（図１８）。これによっても、上記（６）と同様な作用効果が得られる。
【００１８】
（８）前記機種コード発生手段(257,130,66,28a)は、ハードウエアのデータ発生器である、上記（１）乃至（７）のいずれか１つに記載の画像形成装置（図９，図１３）。後述の実施例では、データ発生器はディップスイッチである。
【００１９】
（９）前記機種コード発生手段は、情報記憶媒体(ROM255,133,65,29a)である、上記（１）乃至（７）のいずれか１つに記載の画像形成装置（図１４，図１５）。
【００２０】
（９ａ）前記情報記憶媒体(ROM255,133,65,29a)は、書き換え可能なプログラム記憶メモリとしてのFlash-ROMの、一部のエリアである、上記（９）に記載の画像形成装置。
【００２１】
（９ｂ）上記一部のエリアは、プログラム記憶メモリのバージョンアップロードの書換えが行われるエリアの外部である、上記（９ａ）に記載の画像形成装置。
【００２２】
（１０）前記不揮発メモリ(256,132,64,30a)は、初期設定値として最上位機種を示す機種コードが格納されたバックアップメモリである；上記（１）乃至（９ｂ）のいずれか１つに記載の画像形成装置。これによれば、出荷後の最初の電源オン直後に、画像形成装置構成要素で実行可能な最高機能に適合する機能に、各要素が自動的に設定される。
【００２３】
本発明の他の目的および特徴は、図面を参照した以下の実施例の説明より明らかになろう。
【実施例１】
【００２４】
図１に、本発明の１実施例の複合機能フルカラーデジタル複写機を示す。このフルカラー複写機は、大略で、自動原稿送り装置（ＡＤＦ）２３０と、操作ボード２２０と、カラースキャナ２１０と、カラープリンタ１００の各ユニットで構成されている。なお、操作ボード２２０と、ＡＤＦ２３０付きのカラースキャナ２１０は、プリンタ１００から分離可能なユニットであり、カラースキャナ２１０は、動力機器ドライバやセンサ入力およびコントローラを有する制御ボードを有して、プリンタ１００の機内の制御ボードのシステム制御装置ＡＣＰ（図６）と直接または間接に通信を行いタイミング制御されて原稿画像の読み取りを行う。
【００２５】
システム制御装置ＡＣＰ（図６）には、パソコンＰＣが接続したＬＡＮ(Local Area Network)が接続されており、ファクシミリコントロールユニットＦＣＵ（図６）には、電話回線ＰＮ（ファクシミリ通信回線）に接続された交換器ＰＢＸが接続されている。カラープリンタ１００のプリント済の用紙は、排紙スタック２６（図２）に排出される。
【００２６】
図２に、カラープリンタ１００の機構を示す。この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットａ〜ｄが、転写紙の移動方向（図中の右下から左上方向ｙ）に沿ってこの順に配置されている。即ち、４連ドラム方式のフルカラー画像形成装置である。
【００２７】
回転可能に支持され矢印方向に回転する感光体１の外周部には除電装置５、クリーニング装置４、帯電装置２、現像装置３が配備されている。帯電装置２と現像装置３の間には、露光装置６から発せられる光情報の入るスペースが確保されている。感光体１は４個（ａ，ｂ，ｃ，ｄ）あるが、それぞれ周囲に設けられる画像形成用の部品構成は同じである。現像装置３が扱う色材（トナー）の色が異なる。
【００２８】
感光体１は直径が３０から１００ｍｍ程度のアルミニュム円筒表面に、光導電性物質である有機半導体の層を設けた感光体である。その一部が、第１転写ベルト７に接している。第１転写ベルト７は矢印方向に移動可能に、回転するローラ８，９および１０間に支持、張架されていて、裏側（ループの内側）には、第１転写器１１が感光体１の近傍に配備されている。ベルトループの外側に、第１転写ベルト用のクリーニング装置１２が配備されている。第１転写ベルト７より転写した後にその表面に残留する不要のトナーを拭い去る。
【００２９】
露光装置６は公知のレーザ方式で、フルカラー画像形成に対応した光情報を、一様に帯電された感光体表面に潜像として照射する。ＬＥＤアレイと結像手段から成る露光装置も採用できる。第１転写ベルト７は、基体の厚みが５０μｍ乃至６００μｍの樹脂フィルムあるいはゴムを基体にしたベルトで、感光体１からトナーを転写可能とする抵抗値を備える。
【００３０】
図２上で、第１転写ベルト７の右方には、第２転写ベルト１３が配備されている。第２転写ベルト１３は矢印方向に移動可能に、回転ローラ１４，１５および１６間に支持、張架されていて、裏側（ループの内側）には、第２転写器１７が配備されている。ベルトループの外側に、第２転写ベルト用のクリーニング装置１８、チャージャ１９、などが配備されている。クリーニング装置１８は、用紙にトナーを転写した後、残留する不要のトナーを拭い去る。
【００３１】
第２転写器１７，ローラ１６、第１転写ベルト７を支持するローラ８により、第１転写ベルト７と第２転写ベルト１３は接触し、あらかじめ定められた転写ニップを形成する。第２転写ベルト１３は、基体の厚みが５０μｍ乃至６００μｍの樹脂フィルムあるいはゴムを基体にしたベルトで、第１転写ベルト７からトナーを転写可能とする抵抗値を備えるベルトである。
【００３２】
記録媒体である用紙２０は、図の下方の給紙カセット２１，２２に収納されており、最上の用紙が給紙ローラ３１又は３２で１枚づつ、複数の用紙ガイドを経てレジストローラ３３に搬送される。第２転写ベルト１３の上方に、定着器２３，排紙ガイド２４，排紙ローラ２５，排紙スタック２６が配備されている。
【００３３】
第１転写ベルト７の上方で、排紙スタック２６の下方には、補給用のトナーが収納できる収納部２７が設けてある。トナーの色はマゼンタ，シアン，イエロー，ブラックの四色があり、カートリッジ２８の形態にしてある。粉体ポンプ等により対応する色の現像装置３に適宜補給される。
【００３４】
本体の一部のフレーム２９は、開閉支軸３０を中心として、回動開放が可能な構造にしてあるので、記録媒体の搬送路は大きく開き、ジャムした記録媒体（用紙）の処理を容易にしている。
【００３５】
ここで両面印刷のときの各部の動作を説明する。まず感光体１による、作像が行われる。すなわち、露光装置６の作動により、不図示のＬＤ光源からの光は、不図示の光学部品を経て、帯電装置２で一様に帯電された感光体１のうち、作像ユニットａの感光体上に至り、書き込み情報（色に応じた情報）に対応した潜像を形成する。感光体１上の潜像は現像装置３で現像され、トナーによる顕像が感光体１の表面に形成され保持される。このトナー像は、第１転写器１１により、感光体１と同期して移動する第１転写ベルト７の表面に転写される。感光体１の表面は、残存するトナーがクリーニング装置４でクリーニングされ、除電装置５で除電され次の作像サイクルに備える。
【００３６】
第１転写ベルト７は、表面に転写されたトナー像を坦持し、矢印の方向に移動する。作像ユニットｂの感光体１に、別の色に対応する潜像が書き込まれ、対応する色のトナーで現像され顕像となる。この像は、すでに第１転写ベルト７に乗っている前の色の顕像に重ねられ、最終的に４色重ねられる。なお、単色黒のみを形成する場合もある。
【００３７】
このとき同期して第２転写ベルト１３は矢印方向に移動していて、第２転写器１７の作用で、第２転写ベルト１３の表面に第１転写ベルト７表面に作られた画像が転写される。いわゆるタンデム形式である４個の作像ユニットａ〜ｄの各感光体１上で画像が形成されながら、第１，第２転写ベルト７，１３が移動し、作像が進められるので、その時間が短縮できる。
【００３８】
第１転写ベルト７が、所定のところまで移動すると、用紙の別の面に作成されるべきトナー画像が、前述したような工程で再度感光体１により作像され、給紙が開始される。給紙ローラ３１又は３２が反時計方向に回転すると、給紙カセット２１又は２２内の最上部にある用紙２０が引き出され、レジストローラ３３に搬送される。
【００３９】
レジストローラ３３を経て、第１転写ベルト７と第２転写ベルト１３の間に送られる用紙の片側の面に、第１転写ベルト７表面のトナー像が、第２転写器１７により転写される。更に記録媒体は上方に搬送され、第２転写ベルト１３表面のトナー像が、チャージャ１９により用紙のもう一方の面に転写される。転写に際して、用紙は画像の位置が正規のものとなるよう、タイミングがとられて搬送される。
【００４０】
本実施例では、感光体１に作像されるトナーの極性はマイナスである。第１転写器１１にプラスの電荷を与えることで、感光体１に作像されたトナーは第１転写ベルト７に転写される。第２転写器１７にプラスの電荷を与えることで、第１転写ベルト７に転写されたトナーは、第２転写ベルト１３に転写される。用紙を第１，第２転写ベルト７，１３間に送り込み、第２転写器１７にプラスの電荷を与えることで、第１転写ベルト７に転写されたトナーが用紙の片側の面に転写され、また、第２転写ベルト１３に転写されたトナーは、転写チャージャ１９からプラス極性の電荷与えることで、第２転写ベルト１３表面のマイナス極性のトナーは吸引されて、用紙の他の面に転写される。
【００４１】
上記のステップで両面にトナー像が転写された用紙は、定着器２３に送られ、用紙上のトナー像（両面）が一度に溶融，定着され、ガイド２４を経て排紙ローラ２５により本体フレーム上部の排紙スタック２６に排出される。
【００４２】
図２のように、排紙部２４〜２６を構成した場合、両面画像のうち後から用紙に転写される面（頁）、すなわち第１転写ベルト７から用紙に直接転写される面が、下面となって排紙スタック２６に載置されるから、頁揃えをしておくには２頁目の画像を先に作成し、第２転写ベルト１３にそのトナー像を保持し、１頁目の画像を第１転写ベルト７から用紙に直接転写する。
【００４３】
第１転写ベルト７から直接に用紙に転写される画像は、感光体表面で正像にし、第２転写ベルト１３から用紙に転写されるトナー像は、感光体表面で逆像（鏡像）になるよう露光される。このような頁揃えのための作像順、ならびに、正、逆像（鏡像）に切り換える画像処理も、図６に示し後述する画像メモリアクセス制御ＩＭＡＣによるメモリＭＥＭに対する画像データの読書き制御によって行っている。
【００４４】
第２転写ベルト１３から用紙に転写した後、ブラシローラ，回収ローラ，ブレード等を備えたクリーニング装置１８が、第２転写ベルト１３に残留する不要のトナーや紙粉を除去する。図２ではクリーニング装置１８のブラシローラが第２転写ベルト１３の表面から離れた状態にある。支点１８ａを中心として揺動可能で、第２転写ベルト１３の表面に接離可能な構造になっている。用紙に転写する以前で、第２転写ベルト１３がトナー像を担持しているとき離し、クリーニングが必要のとき、図で反時計方向に揺動し接触させる。除去された不要トナーはトナー収納部３４に集められる。
【００４５】
以上が、「両面転写モード」を設定した両面印刷モードの作像プロセスである。両面印刷の場合には、常にこの作像プロセスで印刷が行われる。片面印刷の場合には、「第２転写ベルト１３による片面転写モード」と「第１転写ベルト７による片面転写モード」の２つがあり、前者の第２転写ベルト１３を用いる片面転写モードを設定した場合には、第１転写ベルト７に４色重ね（又は単色黒）で形成された顕像が第２転写ベルト１３に転写され、そして用紙の片面に転写される。用紙の他面には画像転写はない。この場合、排紙スタック２６に排出された印刷済用紙の上面に印刷画面がある。
【００４６】
後者の第１転写ベルト７を用いる片面転写モードを設定した場合には、第１転写ベルト７に４色重ね（又は単色黒）で形成された顕像が、第２転写ベルト１３には転写されずに、用紙の片面に転写される。用紙の他面には画像転写はない。この場合は、排紙スタック２６に排出された印刷済用紙の下面に印刷画面がある。
【００４７】
図３に、スキャナ２１０およびそれに装着されたＡＤＦ２３０の、原稿画像読み取り機構を示す。このスキャナ２１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには、第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モーター２３８を駆動源として、ｙ方向に往（原稿走査），復（リタ−ン）駆動される。
【００４８】
スキャナ２１０には、自動原稿供給装置ＡＤＦ２３０が装着されている。ＡＤＦ２３０の原稿トレイ２４１に積載された原稿は、ピックアップローラ２４２およびレジストローラ対２４３で搬送ドラム（プラテン）２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。
【００４９】
原稿の表面の画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。搬送ドラム２４４の表面は、読み取りガラス２４０に対向する白色背板であり、白基準面となるように白色である。
【００５０】
また、原稿の裏面の画像は、光源および撮像素子を内蔵する撮像装置４０８で読取られ光電変換される。すなわちＲＧＢ各色画像信号に変換される。撮像装置４０８に対向する白色背板４０９があり、撮像装置４０８と白色背板４０９の間を原稿が通過する。
【００５１】
読み取りガラス２４０と原稿始端の位置決め用のスケール２５１との間には、基準白板２３９、ならびに、第１キャリッジを検出する基点センサ２４９がある。基準白板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００５２】
図４に、スキャナ１０およびＡＤＦ２３０の画像読み取りの電気系統の構成を示す。イメージセンサ２０７から出力される電気信号すなわち、Ｒ，Ｇ，Ｂ各色アナログ画像信号はそれぞれ、信号処理２０８で増幅され、Ａ／Ｄ変換２０９によってデジタル画像信号すなわち画像データに変換される。この画像データは、詳細は後述する画像データ処理器ＩＰＰに出力される。Ａ／Ｄ変換２０９では、ディジタル変換した画像データを、黒側のオフセット分となる部分を取り除いたものに変換する。この際の黒側のオフセット分には、イメージセンサ２０７からの出力が、Ｒ，Ｇ，Ｂ各色成分につき２チャンネル構成の場合、チャンネル間の差分を含んでいる。ここでの演算処理は、チャンネル間の誤差成分を除くのが大きな目的である。
【００５３】
撮像装置４０８から出力されるＲ，Ｇ，Ｂ各色アナログ画像信号はそれぞれ、信号処理２０８ａで増幅され、Ａ／Ｄ変換２０９ａによって画像データに変換される。この画像データも、ＩＰＰに出力される。
【００５４】
スキャナ制御回路２０６は、システムコントローラ３１ａおよびプロセスコントローラ１３１からの指示に従って、ランプ制御回路２０５，タイミング制御回路２１１及びモータ制御ユニット２６０を制御する。ランプ制御回路２０５は、スキャナ制御回路２０６からの指示に従って露光ランプ２３２（２３２ａ，２３２ｂ）のオン／オフを制御するとともに、プロセスコントローラ１３１が指示する照度（光量）に露光ランプ２３２の明るさ（時系列平均値又は平滑値）を定める。なお、参照符号２３２ａ，２３２ｂを総括的に参照符号２３２で示すことがある。  
【００５５】
モータ制御ユニット２６０は、スキャナ制御回路２０６からの指示に従って、副走査駆動モータ２３８及びＡＤＦモータ２２４を制御する。これらモータは、いずれもステッピングモータであり、駆動系統の軸にはロータリエンコーダ（Ｅ）２２１及び２２５が連結されている。第１キャリッジの走査位置（ｙ）および駆動量ならびにＡＤＦ送り原稿の先，後端位置および送り量は、各ロータリエンコーダ２２１，２２５が発生する電気パルスを計数して把握される。図４に示す紙センサ２２３は、ＡＤＦ３０の原稿トレイ２４１上に原稿があるかを検知するもの，ペーパジャム検知のもの及び原稿サイズ検知のものを含む。
【００５６】
タイミング制御回路２１１は、スキャナ制御回路２０６，システムコントローラ３１ａ及びプロセスコントローラ１３１からの指示あるいは制御信号に従って、各種信号を生成する。即ち、画像読み取りを開始すると、イメージセンサ２０７に対しては、１ライン分のデータをシフトレジスタに転送する転送ゲート信号及びシフトレジスタのデータを１ビットずつ出力するシフトクロックパルスを与え、システムコントローラ３１ａに対しては、画素同期クロックパルスＣＬＫ，ライン同期信号ＬＳＹＮＣ及び主走査有効期間信号ＬＧＡＴＥを出力する。この画素同期クロックパルスＣＬＫは、イメージセンサ２０７に与えるシフトクロックパルスと略同一の信号である。また、ライン同期信号ＬＳＹＮＣは、プリンタ１００の作像ユニット１３５のビームセンサが出力するライン同期信号ＭＳＹＮＣと対応する信号であるが画像読み取りを行なっていない時は出力が禁止される。主走査有効期間信号ＬＧＡＴＥは、イメージセンサ２０７が出力する画信号が有効と見なせるタイミングで高レベルＨになる。
【００５７】
スキャナ制御回路２０６は、プロセスコントローラ１３１から読み取り開始指示を受けると、タイミング制御回路２１１を制御してイメージセンサ２０７の読み取りを開始し、露光ランプ２３２を点灯し、副走査駆動モータ２３８（手差しモード）又はＡＤＦモータ（ＡＤＦモード）を駆動開始する。また、副走査有効期間信号ＦＧＡＴＥを高レベルＨ（原稿領域外）にセットする。この信号ＦＧＡＴＥは、手差しモードでは第１キャリッジが原稿始端位置（ホームポジションＨＰからａ＋ｂの位置）に達したときに、原稿領域内を示すＬに切り替えられ、ＡＤＦモードでは、レジストローラからの原稿（先端）の送り出し搬送量が、ＡＤＦ３０を使用するシートスルー画像読取りモードでの原稿読み取り位置であるＨＰ位置（「レジストローラ２４３から基点センサ２４９までの送り量Ｄｆ」−「ＨＰから基点センサ２４９までの送り量ａ」）に達したときに原稿領域内を示すＬに切り替えられる。そして、手差しモードでは原稿尾端を第１キャリッジが通過すると、ＡＤＦモードでは原稿尾端がＨＰを通過すると、副走査有効期間信号ＦＧＡＴＥは原稿領域外を示すＨに戻される。
【００５８】
図５に、スキャナ制御回路２０６の構成を示す。ＣＰＵ２５４は、スキャナ制御回路２０６の入出力制御ならびに副走査駆動モータ２３８およびＡＤＦモータの駆動制御を行う。すなわち、システムコントローラ３１ａ（図６）又はプロセスコントローラ１３１（図６）からの、テストコマンド，原稿読み取りコマンド等の指令に応答して、キャリッジ駆動又はＡＤＦ駆動および画像読取を行う。
【００５９】
書換え可能なFlash ROMであるＲＯＭ２５５には、スキャナ制御回路２０６の制御プログラムが書かれている。不揮発ＲＡＭであるＮＶＲＡＭ２５６は、ＣＰＵ２５４で使用する作業用メモリ（バックアップメモリ）である。
【００６０】
ＲＯＭ２５５には、フルサイズ（複数の定型サイズ）読み取り，Ａ４サイズのみの読み取り，カラー読み取り，モノクロ（単色）読み取り，ＡＤＦ読み取り（両面読み取り，片面読み取り）およびフラットベッド読み取り、等の各種読み取り区分の複数の組み合わせでなる各種読み取りモードに共通のプログラムと、各モード個別のプログラムおよび制御データ（パラメータを含む）と、設定プログラムが格納されている。該設定プログラムは、システムコントローラ３１ａからの初期化指示に応答して、ＮＶＲＡＭ２５６の１領域に割り付けた機種コードレジスタにある機種コードに対応する、単一又は複数の読み取りモードのそれぞれを実行するプログラムを、ＲＯＭ２５５の共通プログラムならびに各モード個別のプログラムおよび制御データに基づいて生成してＮＶＲＡＭ２５６のプログラム記憶領域に書込み、書込を終了するとＮＶＲＡＭ２５６の該プログラムを起動して該プログラムを実行するものである。
【００６１】
スキャナ制御回路２０６の入出力ポート２５８には、ディプスイッチ２５７が接続されており、ディプスイッチ２５７には、スキャナ２１０とＡＤＦ２３０の組み合わせ（ＡＤＦ無しもある）に係る原稿スキャナの、機能識別コードでもある機種コードが設定されている。原稿スキャナの出荷時には、ＮＶＲＡＭ２５６の機種コードレジスタには、該原稿スキャナが属する製品群（型式）の最上位機種の機種コードが書き込まれている。
【００６２】
ＣＰＵ２５４は、原稿スキャナに電源が投入されて、原稿スキャナ内の状態読み取りならびにシステムコントローラ３１ａおよびプロセスコントローラ１３１との通信を可能とするハードウエア初期化を完了した後に、ディプスイッチ２５７が出力する機種コードならびにＮＶＲＡＭ２５６の機種コードレジスタの機種コードをシステムコントローラ３１ａに送信する。その後システムコントローラ３１ａが機種コードを送って来ると、それをＮＶＲＡＭ２５６の機種コードレジスタに更新書込みして、該機種コードに対応する、単一又は複数の読み取りモードのそれぞれを実行するプログラムを、ＲＯＭ２５５の共通プログラムならびに各モード個別のプログラムおよび制御データに基づいて生成してＮＶＲＡＭ２５６のプログラム記憶領域に書込み、書込を終了するとＮＶＲＡＭ２５６の該プログラムを起動して該プログラムを実行する。すなわち、システムコントローラ３１ａが送ってきた機種コードで指定される、単一又は複数の読み取りモードを実行可能に、原稿スキャナを設定する。
【００６３】
図６に、図１に示す複写機の画像処理系統のシステム構成を示す。このシステムでは、読取ユニット２１１と画像データ出力Ｉ／Ｆ(Interface：インターフェイス)２１２でなるカラースキャナ２１０が、システム制御装置ＡＣＰの画像データインターフェース制御ＣＤＩＣ（以下単にＣＤＩＣと表記）に接続されている。システム制御装置ＡＣＰにはまた、カラープリンタ１００が接続されている。カラープリンタ１００は、システム制御装置ＡＣＰの画像データ処理器ＩＰＰ（Image Processing Processor；以下では単にＩＰＰと記述）から、書込みＩ／Ｆ１３４（ＹＭＣＫ）に記録画像データを受けて、作像ユニット１３５でプリントアウトする。作像ユニット１３５は、図２に示すものである。
【００６４】
システム制御装置ＡＣＰ（以下では単にＡＣＰと記述）は、システムコントローラ３１ａ，ディップスイッチ２８ａ，ＲＯＭ２９ａ，ＮＶＲＡＭ３０ａ，パラレルバスＰｂ，画像メモリアクセス制御ＩＭＡＣ（以下では単にＩＭＡＣと記述），画像メモリＭＥＭ（メモリモジュール；以下では単にＭＥＭと記述），ハードディスク装置ＨＤＤ（以下では単にＨＤＤと記述），ＮＶＲＡＭ３４ａ，ＲＯＭ３５ａ，フォントＲＯＭ３６ａ，ＣＤＩＣ，ＩＰＰ等、を備える。パラレルバスＰｂには、ファクシミリ制御ユニットＦＣＵ（以下単にＦＣＵと記述）を接続している。操作ボード２２０はシステムコントローラ３１ａに接続している。
【００６５】
カラースキャナ２１０の、原稿を光学的に読み取る読取ユニット２１１のＣＣＤ２０７および撮像装置２０８の撮像素子のそれぞれが発生するＲＧＢ画像信号は、センサボードユニットＳＢＵ上の信号処理しかつＲＧＢ画像データに変換しかつシェーディング補正して、出力Ｉ／Ｆ２１２を介してＣＤＩＣに送出する。
【００６６】
ＣＤＩＣは、画像データに関し、出力Ｉ／Ｆ２１２，パラレルバスＰｂ，ＩＰＰ間のデータ転送，プロセスコントローラ１３１とＡＣＰの全体制御を司るシステムコントローラ３１ａとの間の通信をおこなう。
【００６７】
半導体メモリＭＥＭの他に、多くの画像データを収納するためにＨＤＤがある。ＨＤＤを用いる事により、外部電源が不要で永久的に画像を保持できる特徴もある。多くの原稿の画像をスキャナで読み込んでＨＤＤに保持し、また、ＰＣが与える多くのドキュメント画像を保持できる。画像メモリアクセス制御ＩＭＡＣ（以下では単にＩＭＡＣと記述）は、ＭＥＭおよびＨＤＤに対する画像データ，制御データの書き込み／読み出しを制御する。
【００６８】
スキャナ２１０およびＡＤＦ２３０のＣＣＤ２０７および撮像装置２０８で読取ったＲＧＢ画像データは、ＩＰＰで、スキャナガンマ補正，フィルタ処理などの、読取り歪を補正する画像処理を施してから、ＭＥＭに蓄積する。ＭＥＭの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００６９】
ＩＭＡＣは、システムコントローラ３１ａの制御に基づいて、画像データとＭＥＭ，ＨＤＤのアクセス制御，ＬＡＮ上に接続したパソコンＰＣ（以下では単にＰＣと表記）のプリント用データの展開，ＭＥＭ，ＨＤＤの有効活用のための画像データの圧縮／伸張をおこなう。
【００７０】
ＩＭＡＣへ送られた画像データは、データ圧縮後、ＭＥＭ又はＨＤＤに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙（用紙）上に再生画像を形成する。
【００７１】
画像データの流れにおいて、パラレルバスＰｂおよびＣＤＩＣでのバス制御により、デジタル複合機の機能を実現する。ファクシミリ送信は、スキャナ２１０，ＡＤＦ２３０で読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００７２】
複数ジョブ、たとえば、コピー機能，ファクシミリ送受信機能，プリンタ出力機能が並行に動作する状況において、読取ユニット２１１，作像ユニット１３５およびパラレルバスＰｂの使用権のジョブへの割り振りは、システムコントローラ３１ａおよびプロセスコントローラ１３１において制御する。プロセスコントローラ１３１は画像データの流れを制御し、システムコントローラ３１ａはシステム全体を制御し、各リソースの起動を管理する。また、デジタル複合機の機能選択は、操作ボード２２０においておこなわれ、操作ボード２２０の選択入力によって、画像読取機能，画像データ登録機能，コピー機能，プリント機能，ファクシミリ機能等の処理内容を設定する。
【００７３】
システムコントローラ３１ａとプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ３１ａとプロセスコントローラ１３１間の通信を行う。
【００７４】
各種バスインターフェース、たとえばパラレルバスＩ／Ｆ  ３７、シリアルバスＩ／Ｆ  ３９、ローカルバスＩ／Ｆ  ３３ＡＡおよびネットワークＩ／Ｆ  ３８は、ＩＭＡＣに接続されている。システムコントローラ３１ａは、ＡＣＰ全体の中での独立性を保つために、複数種類のバス経由で関連ユニットと接続する。
【００７５】
システムコントローラ３１ａは、パラレルバスＰｂを介して他の機能ユニットの制御をおこなう。また、パラレルバスＰｂは画像データの転送に供される。システムコントローラ３１ａは、ＩＭＡＣに対して、画像データをＭＥＭ，ＨＤＤに蓄積させるための動作制御指令を発する。この動作制御指令は、ＩＭＡＣ，パラレルバスＩ／Ｆ  ３７、パラレルバスＰｂを経由して送られる。
【００７６】
この動作制御指令に応答して、画像データはＣＤＩＣからパラレルバスＰｂおよびパラレルバスＩ／Ｆ  ３７を介してＩＭＡＣに送られる。そして、画像データはＩＭＡＣの制御によりＭＥＭ又はＨＤＤに格納されることになる。
【００７７】
一方、ＡＣＰのシステムコントローラ３１ａは、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ  ３８を介してプリント出力要求データを受け取る。
【００７８】
汎用的なシリアルバス接続の場合、ＩＭＡＣはシリアルバスＩ／Ｆ  ３９経由でプリント出力要求データを受け取る。汎用のシリアルバスＩ／Ｆ  ３９は複数種類の規格に対応している。
【００７９】
ＰＣからのプリント出力要求データはＩＭＡＣにより画像データに展開される。その展開先はＭＥＭ内のエリアである。展開に必要なフォントデータは、ローカルバスＩ／Ｆ  ３３ａおよびローカルバスＲｂ経由でフォントＲＯＭ３６ａを参照することにより得られる。ローカルバスＲｂは、ＩＭＡＣを、書換え可能なFlash ROMであるＲＯＭ３５ａおよび不揮発メモリであるＮＶＲＡＭ３４ａと接続する。
【００８０】
シリアルバスＳｂに関しては、ＰＣとの接続のための外部シリアルポート３２ａ以外に、ＡＣＰの操作部である操作ボード２２０との転送のためのインターフェースもある。これはプリント展開データではなく、ＩＭＡＣ経由でシステムコントローラ３１ａと通信し、処理手順の受け付け、システム状態の表示等をおこなう。
【００８１】
システムコントローラ３１ａとＭＥＭ，ＨＤＤおよび各種バスとのデータ送受信は、ＩＭＡＣを経由しておこなわれる。ＭＥＭ，ＨＤＤを使用するジョブはＡＣＰ全体の中で一元管理される。
【００８２】
システムコントローラ３１ａは、パラレルバスＰｂに接続される各構成部の動作を制御する。書換え可能なFlash ROMであるＲＯＭ２９ａには、システムコントローラ３１ａの制御プログラムが書かれている。不揮発ＲＡＭであるＮＶＲＡＭ３０ａは、コントローラ３１ａで使用する作業用メモリ（バックアップメモリ）である。
【００８３】
ＲＯＭ２９ａには、プリンタ１００を用いる印刷，原稿スキャナを用いる読込，プリンタおよび原稿スキャナを用いる複写，ＭＥＭおよびＨＤＤを書画蓄積に用いるサーバおよびＦＣＵ（ファクシミリコントロールユニット）を用いるファクシミリ、等の各種画像処理制御区分の複数の組み合わせでなる各画像処理制御モードに共通のプログラムと、各モード個別のプログラムおよび制御データと、「機種決定」プログラム（ＯＴＤ）および設定プログラム（２ｂ）が格納されている。該「機種決定」プログラム（ＯＴＤ）は、図９を参照して詳細は後述するが、大要は、複合機能の複写機の構成要素（スキャナ，プリンタ，操作ボード，ＡＣＰ，ＦＣＵ）それぞれの機種コードを収集して、それらの組み合わせ（複合機能の複写機）で実現できる最高位の機能を判定し、判定した機能の機種コードを各構成要素に与えるものである。各構成要素は、与えられた機種コードによって指定される（該機能を実現する）動作プログラムを、各構成要素の作業用メモリであるＮＶＲＡＭに書き込んで、該動作プログラムを起動する。該設定プログラム（２ｂ）は、システムコントローラ３１ａが、ＮＶＲＡＭ３０ａの１領域に割り付けた機種コードレジスタにある機種コード（自己宛ての上記与えられた機種コード）に対応する、単一又は複数の画像処理制御モードのそれぞれを実行するプログラムを、ＲＯＭ２９ａの共通プログラムならびに各モード個別のプログラムおよび制御データに基づいて生成してＮＶＲＡＭ３０ａのプログラム記憶領域に書込み、書込を終了するとＮＶＲＡＭ３０ａの該プログラムを起動して該プログラムを実行するものである。
【００８４】
システムコントローラ３１ａ内の入出力ポート（図示せず）には、ディプスイッチ２８ａが接続されており、ディプスイッチ２８ａには、システム制御装置ＡＣＰの、画像処理制御機能識別コードでもある機種コードが設定されている。システム制御装置ＡＣＰの出荷時には、ＮＶＲＡＭ３０ａの機種コードレジスタには、該システム制御装置ＡＣＰが属する製品群（型式）の最上位機種の機種コードが書き込まれている。
【００８５】
システムコントローラ３１ａは、システム制御装置ＡＣＰに電源が投入されて、システム制御装置ＡＣＰ内の状態読み取りならびに他の構成要素（スキャナ，プリンタ，操作ボード，ＦＣＵ）との通信を可能とするハードウエア初期化を完了した後に、ディプスイッチ２８ａが出力する機種コードならびにＮＶＲＡＭ３０ａの機種コードレジスタの機種コードを読み込む。そして「機種決定」（ＯＴＤ）を実行して、上記機種コードの判定をしてＮＶＲＡＭ３０ａの機種コードレジスタに更新書込みして、該機種コードに対応する、単一又は複数の画像処理制御モードのそれぞれを実行するプログラムを、ＲＯＭ２９ａの共通プログラムならびに各モード個別のプログラムおよび制御データに基づいて生成してＮＶＲＡＭ３０ａのプログラム記憶領域に書込み、書込を終了するとＮＶＲＡＭ３０ａの該プログラムを起動して該プログラムを実行する。すなわち、判定した機種コードで指定される、単一又は複数の画像処理制御モードを実行可能に、システム制御装置ＡＣＰを設定する。
【００８６】
プリンタ１００の書換え可能なFlash ROMであるＲＯＭ１３３には、プリンタ１００の制御プログラムが書かれている。不揮発ＲＡＭであるＮＶＲＡＭ１３２は、プロセスコントローラ１３１で使用する作業用メモリ（バックアップメモリ）である。
【００８７】
ＲＯＭ１３３には、フルサイズ（複数の定型サイズ）印刷，Ａ４サイズのみの印刷，両面印刷，片面のみの印刷，カラー印刷，モノクロ（黒単色）のみの印刷，印刷速度（高速／中速／低速），ソータ使用可否，給紙バンク使用可否，大容量トレイ使用可否、等の各種印刷処理区分の複数の組み合わせでなる各種印刷モードに共通のプログラムと、各モード個別のプログラムおよび制御データ（パラメータを含む）と、設定プログラムが格納されている。該設定プログラムは、システムコントローラ３１ａからの初期化指示に応答して、ＮＶＲＡＭ１３２の１領域に割り付けた機種コードレジスタにある機種コードに対応する、単一又は複数の印刷モードのそれぞれを実行するプログラムを、ＲＯＭ１３３の共通プログラムならびに各モード個別のプログラムおよび制御データに基づいて生成してＮＶＲＡＭ１３２のプログラム記憶領域に書込み、書込を終了するとＮＶＲＡＭ１３２の該プログラムを起動して該プログラムを実行するものである。
【００８８】
プロセスコントローラ１３１内部の入出力ポート（図示せず）には、ディプスイッチ１３０が接続されており、ディプスイッチ１３０には、プリンタ１００の、機能識別コードでもある機種コードが設定されている。プリンタ１００の出荷時には、ＮＶＲＡＭ１３２の機種コードレジスタには、該原稿スキャナが属する製品群（型式）の最上位機種の機種コードが書き込まれている。
【００８９】
プロセスコントローラ１３１は、プリンタ１００に電源が投入されて、プリンタ１００内の状態読み取りならびにシステムコントローラ３１ａとの通信を可能とするハードウエア初期化を完了した後に、ディプスイッチ１３０が出力する機種コードならびにＮＶＲＡＭ１３２の機種コードレジスタの機種コードをシステムコントローラ３１ａに送信する。その後システムコントローラ３１ａが機種コードを送って来ると、それをＮＶＲＡＭ２５６の機種コードレジスタに更新書込みして、該機種コードに対応する、単一又は複数の印刷モードのそれぞれを実行するプログラムを、ＲＯＭ１３３の共通プログラムならびに各モード個別のプログラムおよび制御データに基づいて生成してＮＶＲＡＭ１３２のプログラム記憶領域に書込み、書込を終了するとＮＶＲＡＭ１３２の該プログラムを起動して該プログラムを実行する。すなわち、システムコントローラ３１ａが送ってきた機種コードで指定される、単一又は複数の印刷モードを実行可能に、プリンタ１００を設定する。
【００９０】
ファクシミリコントロールユニットＦＣＵにも、原稿スキャナおよびプリンタ１００と同様に、ファクシミリコントローラ，ファクシミリ制御プログラムが書かれているFlash ROMであるＲＯＭ，作業用メモリ（バックアップメモリ）であって不揮発ＲＡＭであるＮＶＲＡＭ、および、ＦＣＵの機能識別コードでもある機種コードが設定されたディプスイッチがある。そして上述のプリンタ１００の設定と同様にしてファクシミリコントローラが、システムコントローラ３１ａが送ってきた機種コードで指定される、単一又は複数のファクシミリ処理モードを実行可能に、ＦＣＵを設定する。
【００９１】
操作ボード２２０は、ＡＣＰがおこなうべき処理を入力する。たとえば、処理の種類（複写、ファクシミリ送信、画像読込、プリント等）および処理の枚数等を入力する。これにより、画像データ制御情報の入力をおこなうことができる。
【００９２】
図７に、操作ボード２２０の電気制御系を示す。この制御系の主体は、システムコントローラ３１ａとコミュニケーションし、操作ボード２２０の入力を読取り、操作ボード上の表示を制御するＣＰＵ５３，このＣＰＵ５３の制御プログラムが格納されている、書換え可能なFlash ROMであるＲＯＭ６５，作業メモリであって不揮発ＲＡＭであるＮＶＲＡＭ６４，液晶パネル７９の描画データを格納するＶＲＡＭ６８，このＶＲＡＭ６８に接続され液晶パネル７９の描画タイミング制御等を行う液晶表示コントローラ（ＬＣＤＣ）６７等がある。ＬＣＤＣ６７には、ＣＦＬの光源をバックライト７０として有する液晶パネル７９が接続される。ＣＰＵ５３には更に、ＣＦＬバックライト７０を駆動するインバータ６９，操作キー群５４，５５，５７，６２，６３のキーマトリクス７１，表示ＬＥＤ５６，５８，５９，６１のＬＥＤマトリクス７２およびそれらのＬＥＤを駆動するＬＥＤ駆動装置７３，ディップスイッチ６６等が接続されている。
【００９３】
ＲＯＭ６５には、システム制御装置ＡＣＰおよびプリンタ１００とユーザとの間の操作入出力を行い、また機種によっては、原稿スキャナ２１０，２３０、およびＦＣＵのそれぞれとユーザとの間の操作入出力を行う、各種入出力モードに共通のプログラムと、各モード個別のプログラムおよび制御データと、設定プログラムが格納されている。該設定プログラムは、システムコントローラ３１ａからの初期化指示に応答して、ＮＶＲＡＭ６４の１領域に割り付けた機種コードレジスタにある機種コードに対応する、単一又は複数の入出力モードのそれぞれを実行するプログラムを、ＲＯＭ６５の共通プログラムならびに各モード個別のプログラムおよび制御データに基づいて生成してＮＶＲＡＭ６４のプログラム記憶領域に書込み、書込を終了するとＮＶＲＡＭ６４の該プログラムを起動して該プログラムを実行するものである。
【００９４】
ＣＰＵ５３の入出力ポートには、ディプスイッチ６６が接続されており、ディプスイッチ６６には、操作ボード２２０の、機能識別コードでもある機種コードが設定されている。操作ボード２２０の出荷時には、ＮＶＲＡＭ６４の機種コードレジスタには、該操作ボードが属する製品群（型式）の最上位機種の機種コードが書き込まれている。
【００９５】
ＣＰＵ５３は、操作ボード２２０に電源が投入されて、操作ボード２２０内の状態読み取りならびにシステムコントローラ３１ａとの通信を可能とするハードウエア初期化を完了した後に、ディプスイッチ６６が出力する機種コードならびにＮＶＲＡＭ６４の機種コードレジスタの機種コードをシステムコントローラ３１ａに送信する。その後システムコントローラ３１ａが機種コードを送って来ると、それをＮＶＲＡＭ６４の機種コードレジスタに更新書込みして、該機種コードに対応する、単一又は複数の入出力モードのそれぞれを実行するプログラムを、ＲＯＭ６５の共通プログラムならびに各モード個別のプログラムおよび制御データに基づいて生成してＮＶＲＡＭ６４のプログラム記憶領域に書込み、書込を終了するとＮＶＲＡＭ６４の該プログラムを起動して該プログラムを実行する。すなわち、システムコントローラ３１ａが送ってきた機種コードで指定される、単一又は複数の入出力モードを実行可能に、操作ボード２２０を設定する。
【００９６】
図８に、図６に示すシステムコントローラ３１ａの画像処理制御の概要を示す。複写機ＭＦ１に電源が投入されて、図示しない電源回路から動作電圧が印加されると（ステップ１）、システムコントローラ３１ａは、システム制御装置ＡＣＰ内の状態読み取りならびに他の構成要素（スキャナ，プリンタ，操作ボード，ＦＣＵ）との通信を可能とするハードウエア初期化（初期化１；ステップ２ａ）を行う。なお、以下においては、カッコ内にはステップという語を省略して、ステップ番号数字のみを記す。
【００９７】
システムコントローラ３１ａは次に、「機種決定」（ＯＴＤ）を実行して、複写機の機種を決定する。
【００９８】
図９に、「機種決定」（ＯＴＤ）の内容を示す。ここでシステムコントローラ３１ａは、複合機能複写機の構成要素ＡＣＰ，操作ボード２２０，原稿スキャナ２１０，プリンタ１００およびＦＣＵに、ディプスイッチ２９ａ，６６，２５７，１３０等およびＮＶＲＡＭ３０ａ，６４，２５６，１３２等の機種コードの転送を要求して入手して（３１，３２）、各構成要素の、ディプスイッチの機種コードとＮＶＲＡＭの機種コードのうち、下位機種コードＡｉｄ（ＡＣＰのもの），Ｂｉｄ（プリンタ１００のもの），Ｃｉｄ（スキャナ２１０のもの），Ｄｉｄ（操作ボード２２０のもの）およびＥｉｄ（ＦＣＵのもの）を摘出して、これらのコードの集合である集成機種コードを生成する（３３）。表１には、複合機能複写機の一部の構成要素の機能項目と機種コードを示し、図１３の（ａ）には、集成機種コードのデータ構成を示す。
【００９９】
【表１】
2006109346.tif 000003
【０１００】
複合機能複写機の各構成要素の機種コード（要素機種コード）は、表１に示す、機能項目に割り当てた、機能項目の機能の有無又は機能の内容を表すコードビット群を符号化（エンコード）したものであり、Ａｉｄ〜Ｅｉｄは、各構成要素の、ディプスイッチの機種コードとＮＶＲＡＭの機種コードのうち、下位機種コードを意味する。
【０１０１】
図９を再度参照する。次にコントローラ３１ａは、集成機種コードを、最高機種検索テーブルと照合して集成機種コード（Ａｉｄ〜Ｅｉｄの組み合わせ）によって複合機能複写機が実行し得る機能の全て（最高機能）を備える機種コード（最高機種コード）を判定する（３４）。そして判定した機種コード（最高機種コード）を、構成要素個々の機種コードすなわち要素機種コードｍＡｉｄ〜ｍＥｉｄに分解してそれぞれを、対応の構成要素（ＡＣＰ，操作ボード２２０，原稿スキャナ２１０，プリンタ１００およびＦＣＵ）に送信し、各構成要素がそのＮＶＲＡＭの機種コードレジスタの機種コードを、今回コントローラ３１ａから受信したものに更新する（３５）。図１３の（ｂ）には、最高機種コードのデータ構成を示す。
【０１０２】
図８を再度参照すると、次にコントローラ３１ａは、各構成要素に初期化２を指示する。これに応答して各構成要素は、コントローラ３１ａから与えられてＮＶＲＡＭに更新書込みした機種コードによって指定される（該機能を実現する）動作プログラムをＲＯＭから読み出して、各構成要素の作業用メモリであるＮＶＲＡＭに書き込んで、該動作プログラムを起動する。すなわち、例えばシステム制御装置ＡＣＰのプロセッサ３１ａも初期化２（２ｂ）を実行して、ＮＶＲＡＭ３０ａの機種コードレジスタに更新書き込みした機種コードに対応する、単一又は複数の画像処理制御モードのそれぞれを実行するプログラムを、ＲＯＭ２９ａの共通プログラムならびに各モード個別のプログラムおよび制御データに基づいて生成してＮＶＲＡＭ３０ａのプログラム記憶領域に書込み、書込を終了するとＮＶＲＡＭ３０ａの該プログラムを起動して該プログラムを実行するものである。他の構成要素（操作ボード２２０，原稿スキャナ２１０，プリンタ１００およびＦＣＵ）も、同様な初期化２を実行する。
【０１０３】
上述の初期化２を実行すると操作ボード２２０は操作ボード２２０の液晶パネル７９には、図１０に示すような、デフォルト（標準）に設定された、コピーモードの入力待機画面を表示する（ステップ３）。図１０に示す液晶パネル７９の表示は、複合機能複写機が、その型式の中の最高機種コードのもの（全機能：フルスペック）であり、操作ボード２２０のＮＶＲＡＭにはフルスペック対応の最高位の要素機種コードが書き込まれている場合のものである。他の構成要素もそれぞれ、複合機能複写機の最高機種コード対応で、各要素の型式の中の最高位の要素機種コード（全機能）に設定されている。したがって、図８のステップ４以下の、システムコントローラ３１ａの画像処理制御は、図１および図６に示す複合機能複写機が属する型式の前記機能を実行するものである。
【０１０４】
なお、システムコントローラ３１ａは、操作ボード２２０への入力の読み取りおよび操作ボード２２０の表示の切り換えは、操作ボード２２０内のＣＰＵを介して行うが、以下においては、該ＣＰＵを介して行うとの記述は省略して操作ボード２２０が行うと表現する。
【０１０５】
図１０は、操作ボード２２０の操作盤面の一部（ファクシミリ関連の部分は省略）を示す。操作ボード２２０には、液晶パネル７９、テンキー８０ａ、クリア／ストップキー８０ｂ、スタートキー８０ｃ、予熱キー８０ｈ、リセットキー８０ｇ、初期設定キー８０ｄ、コピーキー８０ｅ、コピーサーバキー８０ｆがあり、液晶パネル７９には、機能キー、部数、及び画像形成装置の状態を示すメッセージなどが表示される。初期設定キー８０ｄを押す事で、機械の初期状態を任意にカスタマイズする事が可能である。機械が収納している用紙サイズを設定したり、コピー機能のモードクリアキーを押したときに設定される状態を任意に設定可能である。また、一定時間操作が無いときに優先して選択されるアプリケーション等も選択する事、国際エネルギースター計画に従った低電力への移行時間の設定や、オートオフ／スリープモードへの移行する時間を設定する事が可能である。予熱キー８０ｈを押すと、機械は待機状態から、電力低減状態に移行し、定着温度を低下させたり、操作部の表示を消灯する。予熱状態は、国際エネルギースター計画で言う、低電力状態を意味している。また、予熱状態、オフ状態／スリープ状態を解除し、待機状態に移行させるには、この予熱キーを再度押下する。コピーキー８０ｅの押下により、コピー機能の使用が可能である。コピーサーバキー８０ｆは、既存の蓄積画像データの編集（コピーモード設定、印刷、削除）を行なうときに使用する。図１０は、液晶パネル７９に、デフォルト表示のコピー条件入力画面を表示した状態を示す。この状態で「コピーサーバ」キー８０ｆにタッチがあると、液晶パネル７９の表示は図１１に示すコピーサーバ機能選択画面に切り換る。このコピーサーバ機能選択画面に表示された「コピー」キーにタッチがあると、液晶パネル７９の表示はコピーサーバ機能選択画面に切り換る前のコピー条件入力画面（図１０）に戻る。コピーサーバ機能の詳細は、後述する。
【０１０６】
図８を再度参照する。次の「入力読み取り」（４）では、操作ボード２２０に対するユーザ入力、あるいはネットワークを介したＰＣ１〜ＰＣ３或いはその他のＰＣもしくは機器（以上の全てをひっくるめて外部機器と表現することもある）からのアクセスを読み取る。ここでコピー（複写）条件入力があるとそれを読み込み、スタートキー８０ｃの操作があるとコピー処理制御（５〜９）を行う。このコピー処理制御においては、スキャナ２１０から読み込んだ画像データは、指定枚数のコピーのためにＭＥＭ或いはＨＤＤに一時蓄積するが、指定枚数のコピーを終えた時点で自動的に消去する。ＰＣ等の外部機器からそれが与えるドキュメントの印刷指示を受けると、該ドキュメントを受信してプリントアウトする（１０，１１）。この場合も、ドキュメントデータは、指定枚数の印刷のためにＭＥＭ或いはＨＤＤに一時蓄積するが、指定枚数の印刷を終えた時点で自動的に消去する。
【０１０７】
「コピーサーバ」キー８０ｆにタッチがあると操作ボード２２０は液晶パネル７９の表示を、図１１に示す「コピーサーバ」の機能選択画面に切り換える（５，１０，１１）。該画面に表示された「コピー＆蓄積」キーは、スキャナ２１０で原稿を読み取ってＨＤＤに蓄積ししかもプリンタ１００でプリントアウトするコピーモードを指定するもの、「原稿読み取り」はスキャナ２１０で原稿を読み取ってＨＤＤに蓄積する読み取り＆蓄積を指定するもの、「文書選択」キーは、ＨＤＤに蓄積している書画ファイルリストの表示を指定するもの、また、「印刷条件」キーは印刷条件の設定（のための入力画面の表示）を指示するもの、である。印刷条件を設定する入力画面を表示しているときにスタートキー８０ｃが押されると、該入力画面に表示した印刷条件で印刷が開始される。「コピー」キーは、コピーモードの入力画面（図１０）への復帰を指定するものである。
【０１０８】
「コピー＆蓄積」キーにユーザがタッチすると操作ボード２２０は液晶パネル７９に「コピー＆蓄積」入力画面を表示する。「コピー＆蓄積」入力画面は、図１０に示す液晶パネル７９のコピー条件指定画面にさらに「蓄積条件」キーが加わったものであり、この「蓄積条件」キーにユーザがタッチすると、操作ボード２２０は、「蓄積条件」入力画面を液晶パネル７９にポップアップ表示する。
【０１０９】
スタートキー８０ｃが押されるとシステムコントローラ３１ａはコピーを開始し、ＩＭＡＣを用いてスキャナ２１０の画像データを選択された蓄積条件でファイル化してＨＤＤに蓄積する（１５）。
【０１１０】
コピーサーバ画面（図１１）上の「原稿読み取り」キーにユーザがタッチすると操作ボード２２０は液晶パネル７９に「原稿読み取り」入力画面を表示する。「原稿読み取り」入力画面は、図１０に示す液晶パネル７９のコピー条件指定画面から、印刷出力関連のキーブロックを削除し、かつ「蓄積条件」キーを加えたものであり、この「蓄積条件」キーにユーザがタッチすると、操作ボード２２０は、「蓄積条件」入力画面を液晶パネル７９にポップアップ表示する。スタートキー８０ｃが押されるとシステムコントローラ３１ａは原稿読み取りを開始し、ＩＭＡＣを用いてスキャナ２１０の画像データを選択された蓄積条件でファイル化してＨＤＤに蓄積する（１７）。
【０１１１】
コピーサーバ画面（図１１）上の「文章選択」キーにユーザがタッチすると操作ボード２２０は液晶パネル７９に、「文章選択」入力画面を表示する（１８，１９）。「文章選択」入力画面の一例を図１２に示す。液晶パネル７９にはＨＤＤに蓄積された書画情報ファイルのリストが表示される。このとき、ジョブを、タッチパネル内任意のキーを押下することで、変更することができる。ＨＤＤに蓄積された文書は、ユーザＩＤ，文書名，ページ数，時刻が１文書１行ごとに表示される。文書名は画像蓄積をする毎に付けられる。ページ数は蓄積した原稿画像の枚数である。蓄積時刻は画像蓄積された時の時間を表す。図１２の表示例では５行のみ表示されているが、スクロールキーの「前へ」キー，「後へ」キーを押下することにより表示されていない画像情報が表示可能である。表示領域に表示されている各行を押下すると該行が黒色に反転する。これを選択状態と呼ぶ。複数の画像情報が選択状態として指定可能である。リスト上の書画情報ファイルに対しては、「リストから削除」と「印刷条件」を指示できる。リスト上の書画情報ファイルを選択し「リストから削除」キーを押下すると選択された文書が削除される（２０，２１）。書画情報ファイルを選択し、「印刷条件」キーを押下すると、タッチパネル上の表示は印刷条件入力画面となる。ここで印刷条件を設定し、スタートキー８０ｃを押下することにより、指定された印刷条件に従って選択ファイルの画像を印刷出力する（２２，２３）。
【０１１２】
ＰＣ等外部機器からネットワークを介してｗｗｗ(World Wide Web)のアクセスがあると、ネットワーク制御１７８（ｗｗｗサーバ，ＦＴＰサーバ，ＤＮＳサーバおよび認証サーバを含む）が、マイクロソフト社のWindowsに標準装備するｗｗｗブラウザであるInternet Explorer（をインストールしたＰＣ）に書画情報ファイルを提供する「Ｎｅｔアプリケーション」（２３）を実行する（２２，２３）。
【０１１３】
上述の「コピー入力画面を表示」（３）の内容は、操作ボード２２０のＮＶＲＡＭ６４に書き込んだ機種コードで特定されるものである。例えば、システム制御装置ＡＣＰの機種コードが、コピーサーバ機能がないものであった場合には、これに対応して複合機能複写機はコピーサーバ機能がない機種コードとなっているので、操作ボード２２０の液晶パネルの表示は、コピーサーバキー２９がない、あるいは灰色のブランク表示またはアクセス不可の灰色のキャラクタ表示となる。したがってコントローラ３１ａおよび操作ボード２２０は、「コピーサーバ入力画面を表示」（１３）を実行しない。また、コントローラ３１ａはステップ１４〜２３のサーバ処理制御を実行しない。すなわち、ＮＶＲＡＭ３０ａの画像処理制御プログラムには、サーバ処理制御プログラムは含まれない。
【０１１４】
また例えば、システム制御装置ＡＣＰの機種コードが、コピーサーバ機能があるものであっても、原稿スキャナ（２１０＋２３０）が、両面読み取りが不可の機種コードである場合には、複写機の機種コードは、両面読み取り＆蓄積が不可で、しかも両面読み取りかつ両面印刷の複写は不可のものとなり、操作ボード２２０，システム制御装置ＡＣＰおよびＦＣＵはいずれも、両面読み取り不可，両面読み取り＆蓄積不可，両面同時読み取り＆両面複写不可の機種コードとなり、操作ボード２２０は、図８の「原稿読み取り」（１７）では、両面読み取り指示入力手段のない、またはアクセス不可の原稿読み取り操作画面を表示する。「コピー入力画面を表示」（８）および「コピー＆蓄積」（１５）では、両面同時読み取り＆両面複写の指示入力手段がないか無効になった複写入力画面を表示する。
【０１１５】
また例えば、プリンタ１００が両面印刷機能のない機種コードの場合には、複写機の機種コードは両面印刷，両面複写が不可の機種コードとなっており、「コピー入力画面を表示」（８），「コピー＆蓄積」（１５）および「印刷」（２３）では、両面複写，両面印刷の指示入力手段がないか無効になった入力画面を表示する。
【実施例２】
【０１１６】
実施例２のハードウエアは上記実施例１と同様であり、「機種決定」の内容が異なる。他の機能は実施例１と同様である。図１４に、実施例２の「機種決定」（ＯＴＤａ）の内容を示す。実施例２のシステムコントローラ３１ａは、実施例１と同様に、複合機能複写機の各構成要素のディプスイッチおよびＮＶＲＡＭの機種コードを入手する（３１，３２）。そして各構成要素の、ディプスイッチの機種コードとＮＶＲＡＭの機種コードのうち、下位機種コードＡｉｄ（ＡＣＰのもの），Ｂｉｄ（プリンタ１００のもの），Ｃｉｄ（スキャナ２１０のもの），Ｄｉｄ（操作ボード２２０のもの）およびＥｉｄ（ＦＣＵのもの）を摘出する（３３ａ）。次に各機種コードＡｉｄ〜Ｅｉｄを、該機種コード（要素機能）で複合機能複写機が実行し得る最高機能の各最高機種コードを検索して、検索した全最高機種コード（５種）のなかの最下位機種コードを選択する（３４ａ）。そして、選択した最下位機種コードを、各構成要素宛ての要素機種コードに逆変換（デコード）して、各構成要素に与えて（３５ａ）、各構成要素に初期化２を指示する（３６）。
【実施例３】
【０１１７】
実施例３は、複合機能複写機の各構成要素であるＡＣＰ，操作ボード２２０，スキャナ２１０，プリンタ１００およびＦＣＵを、実施例１のディップスイッチ２８ａ，６６，２５７，１３０等を省略し、代わりに、ＲＯＭ２９ａ，６５，２５５，１３３等の、プログラムのバージョンアップのときにプログラムが書き込まれる領域とは別の、書換えを禁止した領域に、要素機種コードを書き込んだものである。図１５に、実施例３の「機種決定」（ＯＴＤｂ）の内容を示す。この内容は、実施例１の図９に示す「機種決定」（ＯＴＤ）の各ステップの「ディップＳＷ」を「ＲＯＭ」と置換したものに相当する。図９を参照した上記「機種決定」（ＯＴＤ）の内容説明の、「ディップＳＷ」を「ＲＯＭ」と言い換えると、図１５の「機種決定」（ＯＴＤｂ）の内容説明となる。
【実施例４】
【０１１８】
実施例４は、複合機能複写機の各構成要素であるＡＣＰ，操作ボード２２０，スキャナ２１０，プリンタ１００およびＦＣＵを、実施例２のディップスイッチ２８ａ，６６，２５７，１３０等を省略し、代わりに、ＲＯＭ２９ａ，６５，２５５，１３３等の、プログラムのバージョンアップのときにプログラムが書き込まれる領域とは別の、書換えを禁止した領域に、要素機種コードを書き込んだものである。図１６に、実施例４の「機種決定」（ＯＴＤｃ）の内容を示す。この内容は、実施例２の図１４に示す「機種決定」（ＯＴＤａ）の各ステップの「ディップＳＷ」を「ＲＯＭ」と置換したものに相当する。図１４を参照した上記「機種決定」（ＯＴＤａ）の内容説明の、「ディップＳＷ」を「ＲＯＭ」と言い換えると、図１６の「機種決定」（ＯＴＤｃ）の内容説明となる。
【０１１９】
−実施例１〜４の第１変形例−
なお、実施例１〜４の第１変形例では、構成要素の機種コードは、各構成要素の要素機種コードであるが、各構成要素とシステムコントローラ３１ａの間では、複合機能複写機の機種コードの形態で各構成要素の機種コードをやり取りするようにする。たとえば各構成要素は、図１３の（ａ）に示すデータフレームで、自己宛てのコード書込領域に自己の要素機種コード（例えばＢｉｄ）を書込み、他の構成要素のコード書込領域はブランク（又は０もしくは適当なデータ）にしてコントローラ３１ａに送信してコントローラは送信元要素の書込割り当て領域のデータを該要素の機種コードとして摘出し、コントローラ３１ａから各構成要素には、図１３の（ｂ）に示す機種コード（データフレーム）を送信して、各構成機器は受信した機種コードの自己宛ての書込領域の要素機種コード（例えばｍＢｉｄ）を摘出してＮＶＲＡＭに書き込む。
【０１２０】
−実施例１〜４の第２変形例−
実施例１〜４の第２変形例では、「機種決定」に進むとシステムコントローラ３１ａは、図１７に示すように、まず、各構成要素（ＡＣＰ，操作ボード，原稿スキャナ，プリンタおよびＦＣＵ）に、それぞれのＮＶＲＡＭの要素機種コードを、それぞれの要素の最高位の要素機種コードに更新する（３０）。その後の処理は、実施例１〜４の「機種決定」の第１ステップ３１以降の処理と同様である。この第２変形例によれば、一度「機種決定」をした後に、構成要素の削除，入れ換え，追加などがあった場合、その直後の電源投入直後に、複写機は変更された構成（要素の組み合わせ）で最高位の機種コードに、自動的に更新される。
【０１２１】
−実施例１〜４の第３変形例−
実施例１〜４の第３変形例では、「機種決定」に進むとシステムコントローラ３１ａは、ステップ３１，３２の実行後に、図１８に示すように、各構成要素（ＡＣＰ，操作ボード，原稿スキャナ，プリンタおよびＦＣＵ）のＮＶＲＡＭの各要素機種コードによって複写機が実行できる各最高位の複写機機種コードを検索して、それらの中の最高位の複写機機種コードを摘出して、摘出した最高位の複写機機種コードを各要素機種コードに変換して各構成要素のＮＶＲＡＭに更新書込みする（３２３）。その後の処理は、実施例１〜４の「機種決定」の第３ステップ３３以降の処理と同様である。この第３変形例によっても、一度「機種決定」をした後に、構成要素の削除，入れ換え，追加などがあった場合、その直後の電源投入直後に、複写機は変更された構成（要素の組み合わせ）で最高位の機種コードに、自動的に更新される。
【図面の簡単な説明】
【０１２２】
【図１】本発明の第１実施例の、複合画像処理機能があるフルカラー複写機の外観を示す正面図である。
【図２】図１に示すカラープリンタ１００の拡大縦断面図である。
【図３】図１に示すカラースキャナ２１０およびＡＤＦ２３０の拡大縦断面図である。
【図４】図３に示す原稿スキャナ２１０およびＡＤＦ２３０の電気系システムを示すブロック図である。
【図５】図４に示すスキャナ制御回路２０６およびモータ制御ユニット２６０の構成を示すブロック図である。
【図６】図１に示す複写機内の、画像処理システムの構成を示すブロック図である。
【図７】図１および図６に示す操作ボード２２０の電気系システムを示すブロック図である。
【図８】図６に示すシステムコントローラ３１ａの画像処理制御の概要を示すフローチャートである。
【図９】図８に示す「機種決定」（ＯＴＤ）の内容を示すフローチャートである。
【図１０】図１および図６に示す操作ボード２２０の一部の拡大平面図である。
【図１１】図１０に示すコピーサーバキー８０ｆにユーザの接触があったときに、液晶パネル７９に切り換え表示されるコピーサーバ入力画面を示す拡大平面図である。
【図１２】図１１に示す「文書選択」キーにユーザの接触があったときに、液晶パネル７９に切り換え表示される文書選択画面を示す平面図である。
【図１３】図１および図６に示す複合機能複写機の機種コードの構成を示すブロック図である。
【図１４】本発明の第２実施例のシステムコントローラ３１ａが実行する「機種決定」（ＯＴＤａ）の内容を示すフローチャートである。
【図１５】本発明の第３実施例のシステムコントローラ３１ａが実行する「機種決定」（ＯＴＤｂ）の内容を示すフローチャートである。
【図１６】本発明の第４実施例のシステムコントローラ３１ａが実行する「機種決定」（ＯＴＤｃ）の内容を示すフローチャートである。
【図１７】本発明の第１〜４実施例に共通の第２変形例の変更部分を示すフローチャートである。
【図１８】本発明の第１〜４実施例に共通の第３変形例の変更部分を示すフローチャートである。
【符号の説明】
【０１２３】
１：感光体      ２：帯電装置
３：現像装置    ４：クリーニング装置
５：除電装置    ６：露光装置
７：第１転写ベルト
８〜１０：ローラ
１１：第１転写器
１２：クリーニング装置
１３：第２転写ベルト
１４〜１６：回転ローラ
１７：第２転写器
１８：クリーニング装置
１９：チャージャ
２０：用紙（記録媒体）
２１，２２：給紙カセット
２３：定着器    ２４：排紙ガイド
２５：排紙ローラ
２６：排紙スタック
２７：補給トナー収納部
２８：カートリッジ
２９：フレーム  ３０：開閉支軸
３１，３２：給紙ローラ
３３：レジストローラ
２２１，２２５：ロータリエンコーダ
２２４：ステッピングモータ
２３１：原稿台ガラス    ２３２：照明ランプ
２３３：第１ミラー      ２３４：第２ミラー
２３５：第３ミラー      ２３６：レンズ
２０７：イメージセンサ  ２３８：ステッピングモータ
２３９：基準白板        ２４０：ガラス
２４１：原稿トレイ      ２４２：ピックアップローラ
２４３：レジストローラ対
２４４：搬送ドラム      ２４５：押さえローラ
２４６，２４７：排紙ローラ
２４８：排紙トレイ兼用の圧板
２４９：基点センサ      ２５０：軸
２５１：スケール        ２６０：モータ制御ユニット
３０１：画像データバス  ４０８：撮像装置
４０９：白色背板
【図１】
2006109346.tif 000004
【図２】
2006109346.tif 000005
【図３】
2006109346.tif 000006
【図４】
2006109346.tif 000007
【図５】
2006109346.tif 000008
【図６】
2006109346.tif 000009
【図７】
2006109346.tif 000010
【図８】
2006109346.tif 000011
【図９】
2006109346.tif 000012
【図１０】
2006109346.tif 000013
【図１１】
2006109346.tif 000014
【図１２】
2006109346.tif 000015
【図１３】
2006109346.tif 000016
【図１４】
2006109346.tif 000017
【図１５】
2006109346.tif 000018
【図１６】
2006109346.tif 000019
【図１７】
2006109346.tif 000020
【図１８】
2006109346.tif 000021